(57)【要約】  本出願は、香料システム並びに新規香料及び／又はかかる香料システムを含む消費者製品、並びにかかる香料システム及び消費者製品の製造方法及び使用方法に関する。【特許請求の範囲】
【請求項１】
香料反応生成物であって、前記香料反応生成物が５より大きい乾燥表面臭気指数を有し、前記香料反応生成物が、
ａ．）式Ｉ、及びＩＶ〜ＶＩ、好ましくは式Ｉの香料から選択される１種以上の香料の反応生成物と、
ｂ．）１種以上のヘテロ原子を含む材料であって、好ましくは、前記１種以上のヘテロ原子が、窒素、イオウ、リン及び／又はセレンから選択され、前記材料が、ジプロピレングリコール中１％アントラニル酸メチル溶液より小さい臭気強度指数を有し、好ましくは、前記材料が、アミン部分、チオール部分、ホスフィン部分及び／又はセレノール部分のうち１種以上を含む１種以上のヘテロ原子を含み、より好ましくは、前記材料が一級アミン部分、二級アミン部分、及び／又はチオール部分のうち１種以上を含む１種以上のヘテロ原子を含む、材料と、
を含む、香料反応生成物。
【請求項２】
消費者製品であって、
ａ．）請求項１に記載の香料反応生成物からなる群から選択される、香料反応組成物、及び／又は式Ｉ、及びＩＶ〜ＶＩの香料から選択される１種以上の香料と、
ｂ．）補助剤成分と、
を含む、消費者製品。
【請求項３】
請求項１に記載の香料反応生成物からなる群から選択される香料反応生成物を含む、請求項２に記載の消費者製品。
【請求項４】
式Ｉ、ＩＩ、ＶＩを有する香料から選択される香料、式Ｉ及びＩＩを有する香料から選択される香料、並びにこれらの混合物を含む、請求項２又は３に記載の消費者製品。
【請求項５】
部位を処理及び／又は洗浄する方法であって、前記方法が、
ａ．）前記部位を、所望により洗浄及び／又はすすぐ工程と、
ｂ．）前記部位を、請求項１に記載の香料反応生成物、及び／又は請求項２〜４のいずれか一項に記載の消費者製品から選択される消費者製品、並びにこれらの混合物と、接触させる工程と、
ｃ．）前記部位を、所望により洗浄及び／又はすすぐ工程と、
を含む方法。
【請求項６】
請求項１に記載の香料反応生成物、及び／又は請求項２〜４のいずれか一項に記載の消費者製品から選択される消費者製品、並びにこれらの混合物で、処理される部位。
【発明の詳細な説明】
【技術分野】
【０００１】
本出願は、香料システム並びに香料及び／又はかかる香料システムからなる消費者製品、並びにかかる香料システム及び消費者製品の製造方法及び使用方法に関する。
【背景技術】
【０００２】
消費者製品は、かかる製品及び／又はかかる製品と接触する部位へ所望の香りを提供することができ、並びに／又は望ましくない匂いを隠すことができる香料及び／又は香料システムの１種以上を含むことができる。現在の香料及び香料システムは、望ましい匂いを提供するけれども、消費者は、長続きしかつ彼ら各人の好みに応じて調整された香りを有する製品を探し続けている。残念ながら、入手可能な多品種の（pool）香料及び香料システムはこうした要望を満たすにはあまりに制約されている。このため、香料製造者はより一層多品種の香料及び香料システムを必要とする。
【発明の概要】
【発明が解決しようとする課題】
【０００３】
出願人らは、本明細書で開示された組成物が、香料反応生成物を含みかつ香料反応生成物を含む新規香料及び香料システムからなる香り付けされた組成物を含むことによって、かかる要求を満たすと確信している。
【課題を解決するための手段】
【０００４】
本出願は、香料システム並びに新規香料及び／又はかかる香料システムからなる消費者製品、並びにかかる香料システム及び消費者製品の製造方法及び使用方法に関する。
【発明を実施するための形態】
【０００５】
定義
本明細書で用いる「消費者製品」は、販売される形態での使用又は消費を意図し、後続する商業的製造又は変性を意図しない、ベビーケア、ビューティケア、衣類及びホームケア、ファミリーケア、フェミニンケア、ヘルスケア、スナック、並びに／又は飲料製品若しくは装置を意味する。このような製品には、おむつ、よだれかけ、拭き取り用品、脱色、着色、染色、コンディショニング、シャンプー、スタイリングを含む毛髪（ヒト、イヌ、及び／又はネコ）の処理に関連する製品及び／又は方法、防臭剤及び制汗剤、パーソナルクレンジング、化粧品、消費者使用のためのクリーム、ローション、及び他の局所適用製品の適用を含むスキンケア、並びにシェービング製品、空気ケア、車ケア、食器洗浄、布地コンディショニング（柔軟化など）、洗濯洗浄、洗濯及びすすぎ補助剤及び／又はケア、硬質表面洗浄及び／又は処理、並びに消費者用又は業務用の他の洗浄などの、布地、硬質表面、並びに布地及びホームケア領域内の任意の他の表面処理に関する製品及び／又は方法、トイレットペーパー、フェイシャルティッシュ、紙ハンカチ、及び／又は紙タオルに関連する製品及び／又は方法、タンポン、女性用ナプキン、練り歯磨き、歯用ジェル、歯用リンス、義歯接着剤、歯ホワイトニングなどの口腔ケアに関連する製品及び／又は方法、咳及び風邪治療薬、鎮痛剤、処方薬、ペットヘルスと栄養、及び水精製などの店頭販売のヘルスケア、主として慣習的な食事間用又は食事随伴物としての消費が意図される加工食品（非限定的な実施例としては、ポテトチップス、トルティーヤチップス、ポップコーン、プレッツェル、コーンチップス、シリアルバー、野菜チップス又はクリスプ、スナックミックス、パーティミックス、マルチグレインチップス、スナッククラッカー、チーズスナック、ポークラインズ、コーンスナック、ペレットスナック、押出成形スナック及びベーグルチップが挙げられる）、並びにコーヒーが挙げられるが、これらに限定されない。
【０００６】
本明細書で使用するとき、用語「洗浄及び／又はトリートメント組成物」としては、特に指示のない限り、顆粒又は粉末状の多目的即ち「強力」洗浄剤、特に洗浄洗剤、液体、ゲル又はペースト状の多目的洗浄剤、特にいわゆる強力液体型、液体高級衣類用洗剤、手洗い食器洗浄剤又は軽質食器洗浄剤、特に泡立ちのよいもの、家庭又は業務用の各種の錠剤、顆粒、液体、及びすすぎ補助剤型などの食器洗い機用洗剤、抗菌手洗い用型、手洗い石鹸、マウスウォッシュ、義歯洗浄剤、歯磨剤、車又はカーペット用シャンプー、浴室洗浄剤などの液体洗浄殺菌剤、ヘアシャンプー及びヘアリンス、シャワージェル及び発泡入浴剤、並びに金属洗浄剤、並びに、漂白補助剤、及び「ステインスティック」又は前処理用型などの洗浄助剤、又はドライヤー付与シート、乾燥及び湿潤型拭取り布並びにパッド、不織布基材、及びスポンジなどの基材付与製品、並びにスプレー剤、及びミスト剤が挙げられる。
【０００７】
本明細書で使用するとき、用語「布地ケア組成物」には、特に指示がない限り、布地柔軟化組成物、布地向上組成物、布地フレッシュニング組成物及びこれらの組み合わせを含む。
【０００８】
本明細書で使用するとき、「ａ」及び「ａｎ」のような冠詞は、特許請求の範囲で使用されるときには、１以上の請求又は記載されるものを意味するものと理解される。
【０００９】
本明細書で使用するとき、「包含する／挙げられる（include）」、「包含する／挙げられる（includes）」及び「包含している／挙げられている／などの（including）」という言葉は、限定することを意図しない。
【００１０】
本明細書で使用するとき、用語「固体」は、顆粒、粉末、塊、及び錠剤の製品形態を含む。
【００１１】
本明細書で使用するとき、用語「流体」は、液体、ゲル、ペースト及びガスの製品形態を含む。
【００１２】
本明細書で使用するとき、用語「部位（situs）」は、紙製品、布地、衣服、硬い表面、毛髪、及び皮膚を含む。
【００１３】
特に記載のない限り、構成成分又は組成物の濃度は全て、当該構成成分又は組成物の活性部分に関するものであり、かかる構成成分又は組成物の市販の供給源に存在し得る不純物、例えば残留溶媒又は副生成物は除外される。
【００１４】
百分率及び比率は全て、特に指示がない限り、重量で計算されている。百分率及び比率は全て、特に指示しない限り、組成物全体を基準にして計算される。
【００１５】
本明細書を通じて、所与のあらゆる最大数値限定は、そのようなより小さい数値限定が本明細書に明確に記載されているかのように、より小さい全ての数値限定を含むと理解されるべきである。本明細書全体を通じて記載されているあらゆる最小数値限定には、それよりも大きいあらゆる数値限定が、あたかもこうしたそれよりも大きい数値限定が本明細書に明確に記載されているかのように包含される。本明細書全体を通じて記載されるあらゆる数値範囲は、こうしたより広い数値範囲内に入る、それよりも狭いあらゆる数値範囲を、あたかもこうしたそれよりも狭い数値範囲が全て本明細書に明確に記載されているかのように含む。
【００１６】
好適な香料類
好適な香料としては、以下の式Ｉ〜式ＩＶを有する香料が挙げられ、
【化１】
2010528161.tif 000002
式中、
Ｃ−１とＣ−２との間の結合は単結合であり、Ｃ−２とＣ−３との間の結合と、一緒の点線とが、二重結合を表わし、あるいは、
Ｃ−２とＣ−３との間の結合は、単結合であり、Ｃ−１とＣ−２との間の結合と一緒の点線は、二重結合を表わす。このような分子は、１−（２−イソブチルシクロヘキサ−１−エニル）ブタ−２−エン−１−オン及び１−（２−イソブチルシクロヘキサ−２−エニル）ブタ−２−ン−１−オンである。
【化２】
2010528161.tif 000003
式中、
Ｒ１は、水素又はメチルであり、
Ｒ２は、Ｃ１〜Ｃ３アルキルであり、かつ
Ｃ−４’とＣ−５’との間の二重結合は、（Ｅ）−配置又は（Ｚ）−配置のいずれかである。
【００１７】
式ＩＩを有する分子の例は、（４’Ｚ）−２，２−ジメチル−５−（２’−メチルオクタ−４’−エニル）−２，５−ジヒドロフランである。
【化３】
2010528161.tif 000004
式ＩＩＩを有する分子は、６−メトキシ−１，５，６−トリメチル−５−（３−メチルブタ−２−エニル）シクロヘキサ−１−エンとして知られている。
【化４】
2010528161.tif 000005
式ＩＶを有する分子は、（Ｅ）−３−メチル−５−（２，２，３−トリメチルシクロペンター３−エニル）ペンタ−３−エン−２−オンとして知られている。
【化５】
2010528161.tif 000006
式Ｖを有する分子は、（２Ｅ，５Ｅ／Ｚ）−５，６，７−トリメチルオクタ−２，５−ジエン−４−オンとして知られている。
【化６】
2010528161.tif 000007
式ＶＩを有する分子は、（Ｅ）−１−（６−エチル−２−メチルシクロヘキサ−３−エニル）ブタ−２−エン−１−オンとして知られている。
【００１８】
式Ｉを有する分子は、ルイス酸の存在下において１−イソブチル−シクロヘキセンをクロトン酸クロリド又はクロトン酸無水物でアシル化し、一共役ブタノン即ち式Ｉの化合物にすることによって調製されてよく、式中、Ｃ−１とＣ−２との間の結合は単結合であり、Ｃ−２とＣ−３との間の結合と一緒の点線は二重結合を表わし、これを酸、例えばＰＴＳＡの存在下においてトルエン中で加熱することによって、二共役ブタノン、即ち式（Ｉ）の化合物へ異性化することができ、式中、Ｃ−２とＣ−３との間の結合は単結合であり、Ｃ−１とＣ−２との間の結合と一緒の点線は、二重結合を表わす。本出願の実施例１〜３は更に、このような教示を示す。
【００１９】
式（ＩＩ）を有する分子は、３−メチル−５−オキソペンチルアセテートのＣ３〜Ｃ５アルキルトリフェニルホスホニウムハロゲン化物とのウィティッヒ反応、及びそれに続くけん化によって、３−メチル置換アルケ−５−ナールを得ることによって調製してよい。これらの３−メチルアルカ−５−エナール類を、それぞれブタ−３−イン−２−オール及び２−メチルブタ−３−イン−２−オールのグリニャール試薬と反応させることによって、二重不飽和１，４−ジオール類を入手可能であるが、これは硫酸水素カリウムなどの一般的な脱水試薬によって、２−メチル置換５−（２’−メチルアルカ−４’−エニル）−２，５−ジヒドロフランへと環化可能である。ウィティッヒ反応の条件を変更することによって、側鎖中のΔ４−二重結合の立体化学もまたコントロールすることができる。特定の鏡像異性体又はジアステレオマーの合成又は解像度と同様に、これは一般的な技術水準であり、一般式は、全ての二重結合異性体類だけでなく全ての可能な鏡像異性及びジアステレオマー組成物を含む。しかしながら、単純にコストの制約から、シス構造二重結合を有するジアステレオマー混合物の調製が一般的に有利である。実施例４は更に、このような教示を示す。
【００２０】
式（ＩＶ）を有する分子は、ディールス・アルダー付加環化、それに続く当該技術分野において既知の条件下でのアセトアルデヒドとのアルドール縮合及び水除去によって製造することができる。
【００２１】
式ＩＩＩ〜式Ｖを有する分子は、米国特許第４，０５２，３４１号、同第６，７２３，３１３（Ｂ２）号及び同第７，０７８，５７０（Ｂ２）号の教示に従って製造することもできる。
【００２２】
香料反応生成物
一態様では、本明細書で記載しかつ特許請求した香料反応生成物は、下記の式Ｉ、及びＩＶ〜ＶＩの香料から選択される１種以上の香料の反応生成物並びに１種以上のヘテロ原子、例えば窒素、イオウ、リン及び／又はセレンを含む材料を含む。更に別の態様では、前記香料反応生成物は、下記の式Ｉ、及びＩＶ〜ＶＩの香料から選択される１種以上の香料の反応生成物並びに１以上のアミン部分、チオール部分、ホスフィン部分及び／又はセレノール部分を含有する材料を含む。更に別の態様では、前記香料反応生成物は、下記の式Ｉ、及びＩＶ〜ＶＩの香料から選択される１種以上の香料の反応生成物並びに１以上の一級アミン部分、二級アミン部分及び／又はチオール部分を含有する材料を含む。
【００２３】
一態様では、本明細書で記載しかつ特許請求した香料反応生成物は下記の式Ｉを有する香料の反応生成物並びに１以上のヘテロ原子、例えば窒素、イオウ、リン及び／又はセレンを含有する材料を含む。更に別の態様では、前記香料反応生成物は、下記の式Ｉを有する香料の反応生成物並びに１以上のアミン部分、チオール部分、ホスフィン部分及び／又はセレノール部分を含有する材料を含む。更に別の態様では、前記香料反応生成物は、下記の式Ｉを有する香料の反応生成物並びに１以上の一級アミン部分、二級アミン部分及び／又はチオール部分を含有する材料を含む。
【００２４】
全ての場合について、香料反応生成物は、他の材料と組み合わせて消費者製品、例えば洗浄及び／又は布地処理製品を形成する前に製造される。
【００２５】
全ての場合について、香料と反応する材料、例えば１以上のヘテロ原子を含有する材料は、本出願の「試験方法」セクションにて記載される試験方法１によって判断されるときに、ジプロピレングリコール中１％アントラニル酸メチル溶液よりも小さい臭気強度指数を有し得る。
【００２６】
全ての場合について、香料反応生成物は、本出願の「試験方法」セクションにて記載される試験方法２によって判断されるときに、５より大きいあるいは１０よりも大きい乾燥表面臭気指数を有し得る。
【００２７】
好適な香料反応生成物は、米国特許出願第２００３／０１９９４２２（Ａ１）号、同第２００４／０２２００７４（Ａ１）号並びに米国特許第６，４５１，７５１（Ｂ１）号及び同第６，４１３，９２０（Ｂ１）号並びに本明細書の実施例６の教示に従って製造してよい。ヘテロ原子を含有し、かつ反応生成物を形成するために使用可能である好適な材料は、米国特許出願第２００３／０１９９４２２（Ａ１）号、同第２００４／０２２００７４（Ａ１）号並びに米国特許第６，４５１，７５１（Ｂ１）号及び同第６，４１３，９２０（Ｂ１）号並びに本明細書の実施例６に詳細に記載されている。かかる材料は、高分子であってよいが、そうである必要はない。かかる材料の好適な種類は、ＢＡＳＦ  ＡＧ（ドイツ、ルートヴィヒスハーフェン（Ludwigshafen））から、例えば商標名ルパソール（Lupasol）（登録商標）として入手してよい。商標名ルパソール（Lupasol）（登録商標）として市販されている好適なポリエチレンイミン類としては、ルパソール（Lupasol）（登録商標）ＦＧ（分子量８００）、Ｇ２０ｗｆｖ（分子量１３００）、ＰＲ８５１５（分子量２０００）、ＷＦ（分子量２５０００）、ＦＣ（分子量８００）、Ｇ２０（分子量１３００）、Ｇ３５（分子量１２００）、Ｇ１００（分子量２０００）、ＨＦ（分子量２５０００）、Ｐ（分子量７５００００）、ＰＳ（分子量７５００００）、ＳＫ（分子量２００００００）、ＳＮＡ（分子量１００００００）が挙げられる。
【００２８】
組成物
一態様では、式Ｉ〜ＶＩを、式Ｉ、ＩＩ及び／若しくはＶＩを、又は式Ｉ及び／若しくはＩＩ（全て、本明細書中にて既に記載されている）を有する香料から選択される、１種以上の香料並びに補助成分を含む組成物が開示されている。
【００２９】
一態様では、本明細書に開示されるような香料反応生成物の実施形態を含む組成物、及び補助剤成分が開示されている。
【００３０】
一態様では、かかる香料反応生成物は、式Ｉ及びＩＶ〜ＶＩ又は式Ｉの香料（全て本明細書に開示されている通り）から選択される１種以上の反応生成物並びに１種以上のヘテロ原子、例えば窒素、イオウ、リン及び／又はセレンを含有する材料を含む。更に別の態様では、この香料反応生成物は、式Ｉ及びＩＶ〜ＶＩ又は式Ｉの香料から選択される１つ以上の香料（全て本明細書に開示されている通り）の反応生成物並びに１以上のアミン部分、チオール部分、ホスフィン部分及び／又はセレノール部分を含有する材料を含む。更に別の態様では、この香料反応生成物は、式Ｉ及びＩＶ〜ＶＩ又は式Ｉの香料（全て本明細書に開示されている通り）から選択される１つ以上の香料の反応生成物並びに１以上の一級アミン部分、二級アミン部分及び／又はチオール部分を含有する材料を含む。
【００３１】
一態様では、本明細書に開示されるような、式Ｉ〜ＶＩと、式Ｉ、ＩＩ及び／若しくはＶＩと又は式Ｉ及び／若しくはＩＩとから選択される１種以上の香料を含む組成物並びに１種以上のヘテロ原子、例えば窒素、イオウ、リン及び／又はセレンを含む材料を含有する材料が開示されている。更に別の態様では、式Ｉ〜ＶＩと、式Ｉ、ＩＩ及び／若しくはＶＩと、又は式Ｉ及び／若しくはＩＩの香料とから選択される１種以上の香料、並びに１以上のアミン部分、チオール部分、ホスフィン部分及び／又はセレノール部分を含有する材料を含む組成物が開示されている。更に別の態様では、本明細書に開示されるような、式Ｉ〜ＶＩと、式Ｉ、ＩＩ及び／若しくはＶＩと、又は式Ｉ、及び／若しくはＩＩの香料とから選択される１種以上の香料、並びに１以上の一級アミン部分、二級アミン部分及び／又はチオール部分を含有する材料を含有する材料を含む組成物が開示されている。上記の好適な香料及び材料は、組成物へと別々のタイミングで又は同時に添加してよいが、かかる組成物に添加する前に予め反応させて香料反応生成物を形成させたりはしない。全ての場合について、かかる材料、例えば１以上のヘテロ原子を含有する材料は、本出願の「試験方法」セクションにて記載される試験方法１によって判断されるときに、ジプロピレングリコール中の１％アントラニル酸メチル溶液よりも小さい臭気強度指数を有してよい。
【００３２】
上記の態様のいずれにおいても、かかる組成物は流体又は固体であってよい。
【００３３】
上記の態様のいずれにおいても、かかる組成物は消費者製品であってよい。
【００３４】
上記の態様のいずれにおいても、かかる組成物は洗浄及び／又は布地処理製品であってよい。
【００３５】
更に、用いられる香料及び／又は香料反応生成物の正確な濃度は、かかる組成物を含む製品の種類及び最終用途に依存するが、任意の上記の態様は、製品総重量を基準にして、約０．００１重量％〜約２５重量％、約０．０１重量％〜約５重量％、あるいは約０．０５重量％〜約３重量％の香料及び／又は香料システムを含んでよい。
【００３６】
本発明の態様としては、洗濯洗剤組成物（例えば、タイド（TIDE）（商標））、硬質表面洗浄剤（例えば、ミスター・クリーン（MR CLEAN）（商標））、自動食器洗浄用液体（例えば、カスケード（CASCADE）（商標））、食器洗浄用液体（例えば、ドーン（DAWN）（商標））、及び床洗浄剤（例えば、スウィファ（SWIFFER）（商標））中での本発明の香料及び／又は香料システムの使用が挙げられる。洗浄組成物の非限定的な具体例としては、米国特許第４，５１５，７０５号、同第４，５３７，７０６号、同第４，５３７，７０７号、同第４，５５０，８６２号、同第４，５６１，９９８号、同第４，５９７，８９８号、同第４，９６８，４５１号、同第５，５６５，１４５号、同第５，９２９，０２２号、同第６，２９４，５１４号、及び同第６，３７６，４４５号に記載されるようなものを挙げてよい。本明細書に開示される洗浄組成物は、典型的には水性洗浄操作における使用中に、洗浄水のｐＨが約５〜約１２、又は約７．５〜１０．５を有するように処方される。液体食器洗浄製品の処方は、典型的には約６．８〜約９．０のｐＨを有する。洗浄製品は、通常、約７〜約１２のｐＨを有するように処方される。推奨使用量でのｐＨを制御する技術としては、緩衝剤、アルカリ、酸等の使用が挙げられ、当業者には周知である。
【００３７】
本明細書に開示される布地トリートメント組成物は通常、布地柔軟化活性物質（「ＦＳＡ」）を含む。好適な布地柔軟化活性物質としては、第四級アンモニウム化合物、アミン、脂肪酸エステル、ショ糖エステル、シリコーン、分散性ポリオレフィン、粘土、多糖類、脂肪油、ポリマーラテックス、及びこれらの混合物からなる群から選択される物質が挙げられるが、これらに限定されない。
【００３８】
補助剤物質
本発明の目的のために、以下に例示される補助剤の非限定的な一覧は、本発明の組成物での使用に適しており、例えば、性能を補助若しくは向上させるために、洗浄される基材の処理のために、又は香料、着色剤、染料等を用いる場合のように組成物の審美性を変化させるために、望ましくは本発明の特定の実施形態に組み込むことができる。かかる補助剤は、本出願人らの香料及び／又は香料システムを介して供給される構成成分に追加されると理解される。これらの追加的構成成分の明確な性質、及びそれを組み込む濃度は、組成物の物理的形態及び使用されるべき作業の性質によって決まる。好適な補助剤物質としては、界面活性剤、ビルダー、キレート化剤、移染抑制剤、分散剤、酵素、及び酵素安定剤、触媒物質、漂白活性化剤、ポリマー系分散剤、粘土及び汚れ除去／再付着防止剤、光沢剤、泡抑制剤、染料、追加の香料及び香料送達系、構造弾性化剤、柔軟剤、キャリア、ヒドロトロープ、加工助剤、及び／又は色素が挙げられるが、これらに限定されない。下記の開示に加え、このような他の補助剤の好適な例及び使用濃度は、米国特許第５，５７６，２８２号、同第６，３０６，８１２（Ｂ１）号、及び同第６，３２６，３４８（Ｂ１）号に記載されており、これらは参照により組み込まれる。
【００３９】
各補助剤成分は、本出願人らの組成物にとって必須ではない。したがって、本出願人らの組成物の特定の実施形態は、以下の補助物質：漂白活性化剤、界面活性剤、ビルダー、キレート化剤、移染防止剤、分散剤、酵素及び酵素安定剤、触媒金属錯体、ポリマー系分散剤、粘土及び汚れ除去／再付着防止剤、光沢剤、泡抑制剤、染料、追加の香料及び香料送達系、構造弾性化剤、柔軟剤、キャリア、向水性物質、加工助剤及び／又は色素の１種以上を含有しない。しかし、１種以上の補助剤が存在する場合、このような１種以上の補助剤は、以下に詳細に記載されるように存在してもよい。
【００４０】
界面活性剤−本発明による組成物は、界面活性剤又は界面活性剤系を含むことができ、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は通常、洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００４１】
ビルダー−本発明の組成物は、１つ以上の洗剤ビルダー又はビルダー系を含むことができる。存在する場合、組成物は、典型的に、少なくとも約１重量％のビルダー、又は約５重量％若しくは１０重量％〜約８０重量％、５０重量％まで、又は更には３０重量％までの前記ビルダーを含む。ビルダーとしては、ポリホスフェートの、アルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びこれらの可溶性塩のようなポリカルボン酸塩が挙げられるが、これらに限定されない。
【００４２】
キレート化剤−本明細書の組成物はまた、任意で１つ以上の銅、鉄及び／又はマンガンのキレート化剤を含有してもよい。使用される場合、キレート化剤は、一般に本明細書の組成物の約０．１重量％〜約１５重量％、又は更には本明細書の組成物の約３．０重量％〜約１５重量％を構成する。
【００４３】
移染防止剤−本発明の組成物はまた、１種以上の移染防止剤を含んでよい。好適なポリマー移染阻害剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール、又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００４４】
分散剤−本発明の組成物は分散剤も含むことができる。好適な水溶性有機物質は、ホモポリマー若しくはコポリマーの酸又はこれらの塩であり、それらのうちのポリカルボン酸は、互いに２個を超えない炭素原子によって離間されている少なくとも２個のカルボキシル基を含んでもよい。
【００４５】
酵素−組成物は、洗浄性能効果、及び／又は布地ケア効果を提供する１つ以上の洗浄性酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物が挙げられるが、これらに限定されない。典型的な組み合わせは、プロテアーゼ、リパーゼ、クチナーゼ、及び／又はセルラーゼのような従来の適用可能な酵素をアミラーゼと組み合わせた混液である。
【００４６】
酵素安定剤−組成物、例えば洗剤において使用するための酵素類は、種々の技術によって安定化することができる。本明細書で採用される酵素は、カルシウムイオン及び／又はマグネシウムイオンを酵素に供給する、最終組成物中のカルシウムイオン及び／又はマグネシウムイオンの水溶性供給源の存在によって安定化させることができる。
【００４７】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示される。
【００４８】
必要に応じて、本明細書の組成物は、マンガン化合物を用いて触媒され得る。このような化合物及び使用濃度は該技術分野で周知であり、例えば、米国特許第５，５７６，２８２号に開示されるマンガン系触媒が挙げられる。
【００４９】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号、及び同第５，５９５，９６７号において教示されているような手順によって容易に調製される。
【００５０】
本明細書の組成物はまた、好適には、大多環状の剛性配位子（「ＭＲＬ」と省略される）の遷移金属錯体を含んでもよい。実用的な事柄として、限定するためではないが、本明細書の組成物及び洗浄方法は、水性洗浄媒体において少なくとも約１億分の１の有益剤ＭＲＬ種を提供するように調整することができ、ＭＲＬを洗浄溶液中に約０．００５ｐｐｍ〜約２５ｐｐｍ、約０．０５ｐｐｍ〜約１０ｐｐｍ、又は更には約０．１ｐｐｍ〜約５ｐｐｍに設定できる。
【００５１】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンである。
【００５２】
好適な遷移金属ＭＲＬは、既知の手順、例えば、ＰＣＴ国際公開特許第００／３２６０１号及び米国特許第６，２２５，４６４号で教示されているような手順によって容易に製造される。
【００５３】
洗浄組成物の製造及び使用方法
本発明の組成物は、任意の好適な形態に処方されることができ、配合者によって選択される任意の方法によって調製されることができ、その非限定的な具体例は、米国特許第５，８７９，５８４号、同第５，６９１，２９７号、同第５，５７４，００５号、同第５，５６９，６４５号、同第５，５６５，４２２号、同第５，５１６，４４８号、同第５，４８９，３９２号、及び同第５，４８６，３０３号に記載されている。
【００５４】
使用方法
本明細書に開示される有益剤デリバリー粒子を含有する組成物は、ある部位、とりわけ表面又は布地を洗浄又は処理するのに使用することができる。通常、前記場所の少なくとも一部は、希釈されない形態又は希釈された液体、例えば洗浄液の、本出願人らの組成物の実施形態と接触され、そしてその後、任意に、その場所が洗浄及び／又はすすがれてもよい。１つの態様では、ある部位が任意で洗浄及び／又はすすがれ、本発明による粒子に又は前記粒子を含む組成物に接触され、次に任意で洗浄及び／又はすすがれる。本発明の目的上、洗浄とは、擦ること及び機械的攪拌を包含するが、これらに限定されない。布地は、標準的な消費者の使用条件で洗濯又は処理することが可能な大部分の任意の布地を含んでよい。開示される組成物を含み得る液体のｐＨは、約３〜約１１．５であってもよい。かかる組成物は、典型的には溶液中で約５００ｐｐｍ〜約１５，０００ｐｐｍの濃度で使用される。洗浄溶媒が水である場合、水の温度は、通常約５℃〜約９０℃であり、部位が布地を含む場合、水対布地の比は、通常約１：１〜約３０：１である。
【００５５】
試験方法
方法１：臭気強度指数方法
臭気強度指数とは、純粋な化学物質が、香料内で使用される臭気がない溶剤であるジプロピレングリコール中にて１％で希釈された場合を意味する。この百分率は、使用濃度よりも大きなものを表わしている。臭いを嗅ぐストリップ、あるいはいわゆる「ブロッター」を浸し、評価するために専門家パネリストに提示した。専門家パネリストは、少なくとも６カ月にわたって臭気評価の訓練を受けた評価者であり、パネリストの行う評価は、継続的に対照に対する正確性と再現性を確認される。各アミン化合物について、パネリストには１つの対照（Ｍｅアントラニレート、パネリストには未知のもの）及びサンプルの、２つのブロッターが提示される。パネリストには、臭いを検出しなかったものには０、強い臭いを検出したものには５の、０〜５の臭気強度スケールで、両方の臭いのストリップを格付けするように依頼した。
【００５６】
結果：
以下は、本発明で使用するのに好適であり、かつ上記手順に従うアミン化合物の、臭気強度指数を表す。いずれの場合も数は５人の専門家パネリスト間の算術平均であり、結果は９５％の信頼水準で統計的有意差のあるものである。
【００５７】
アントラニル酸メチル１％（対照）                      ３．４
エチル−４−アミノベンゾエート（ＥＡＢ）１％          ０．９
−−−−−−−−−−−−−−−−−−−−−−
方法２：乾燥表面臭気インデックスの測定方法
生成物の調製：
香料付けしていない生成物ベースにアミン反応生成物を添加する。
【００５８】
香料付けしていない生成物ベース（略称は、以降で実施例について定義されている通り）は、次の通りである。
【表１】
2010528161.tif 000008
【００５９】
アミン反応生成物の濃度は、乾燥布地上で少なくとも２０の臭気等級を得るように選択される。液体の場合は容器を振盪することで、粉末の場合はスパチュラで、注意深く混合した後、生成物を２４時間放置する。
【００６０】
洗浄プロセス：
得られた生成物を、そのカテゴリーにふさわしい用量並びにディスペンサーで、洗濯機内に添加する。対応する市場の製品のために設定された推奨用量に対応する量は、通常は、粉末洗剤又は液体洗剤の場合、グラニュレッテ（granulette）、又はアリエレッテ（ariellette）などの現在の投入装置を介して７０〜１５０ｇであり、液体柔軟仕上げ剤の場合は２５〜４０ｍＬである。４０℃の短サイクル、水充填（１０〜１８℃の温度で硬度１５°）かつ１２００ｒｐｍの最大回転でミーレ（Miele）Ｗ８３０洗濯機を使用する、４つのバスタオル（１７０ｇ）で負荷は構成される。
【００６１】
考慮される、香料を含まない対応する成分に対して同一プロセスを適用し、対照として使用する。対照及びサンプルに対する、用量、布地負荷及び洗浄サイクルは、同一である。
【００６２】
乾燥プロセス：
洗浄サイクル終了後２時間以内に、脱水したが依然として濡れている布地の臭いを、以下に述べる尺度を使用して評価した。その後、布地の半分を一列にして吊るし、考えうるあらゆる汚染を避けて、２４時間乾燥させる。特に指定のない限り、この乾燥は室内で実施する。周囲条件は、１８〜２５℃の室温かつ５０〜８０％の空気湿分である。他の半分は、回転式乾燥機内に置き、完全な「ベリードライ（very dry）」サイクルを実施する。即ち、ミーレ・ノボトロニック（Miele Novotronic）Ｔ４３０を、ホワイト−エクストラ・ドライ（完全サイクル）のプログラムに設定した。回転式乾燥機で乾かした布地は更に、翌日に評価した。次に、無臭室内の開放したアルミニウムバッグ内で布地を保存し、７日後に再度評価する。
【００６３】
臭気評価：
臭気は、専門家パネリストが布地の臭いを注意深く嗅ぐことによって評価される。全ての布地臭気等級化には、０〜１００スケールが使用される。等級スケールは、以下の通り。
１００＝極めて強い香料臭気
７５＝非常に強い香料臭気
５０＝強い臭気
４０＝平均的な香料臭気
３０＝かすかな香料臭気
２０＝弱い香料臭気
１０＝非常に弱い香料臭気
０＝臭気無し
【００６４】
１日後及び／又は７日後における、アミン反応生成物と香料原材料との間の５等級より大きい差が、統計的に有意である。１日後及び／又は７日後の１０等級以上の差は、階段状変化を表す。換言すれば、アミン反応生成物と香料原材料との間に、５等級より大きい差、好ましくは少なくとも１０等級より大きい差が、１日後又は７日後のいずれか、あるいは１日後及び７日後の両方で観察される場合には、アミン化合物が臭気強度指数を満足させるという条件で、アミン反応生成物が本発明で使用するのに好適であると結論づけることができる。
【実施例】
【００６５】
本発明の特定の実施形態を例示し記載したが、本発明の趣旨及び範囲から逸脱することなく他の様々な変更及び修正を実施できることが、当業者には明白であろう。したがって、本発明の範囲内にあるそのような全ての変更及び修正を、添付の特許請求の範囲で扱うものとする。
【００６６】
実施例１：（Ｅ）−１−（２−イソブチルシクロヘキサ−２−エニル）ブタ−２−エン−１オン
ａ）１−イソブチルシクロヘキサノール
−６０℃にて、ジエチルエーテル（８００ｍＬ）中１．７Ｍ第３級ブチルリチウムのペンタン溶液（１０００ｍＬ、１．７モル、２．１当量）を、ヨウ化イソブチル（１５７ｇ、０．８１モル、１．０当量）と共に、１時間以内で滴下して処理した。得られた溶液を−７０℃にて４５分間攪拌し、１０℃まで温め、−７０℃まで冷却し、この温度において４時間以内でシクロヘキサノン（１００．７ｍＬ、０．９７１モル、１．２当量）で処理した。添加が終了した時点で、前記反応混合物を室温にしてから、氷／Ｈ２Ｏ（５００ｍＬ）内に注ぎ、濃ＨＣｌで酸性化した。水相をジエチルエーテル（３００ｍＬ）で抽出し、合一させた有機相を水（４００ｍＬ）及びＮａＣｌ飽和水溶液（５００ｍＬ）で洗浄し、乾燥させ（５０ｇＭｇＳＯ４）、かつ溶媒を蒸発させて、粗製１−イソブチルシクロヘキサノール（１４８ｇ）を得た。
【００６７】
ｂ）１−イソブチルシクロヘキサ−１−エン
ビグリュー（Vigreux）蒸留装置を装着したフラスコ内で、粗製１−イソブチルシクロヘキサノール（２００ｇ、１．２８モル）を、リン酸（１００ｇ）で処理し、減圧下（１７０ｈＰａ（１７０ｍｂａｒ））にて、１４５℃で加熱した。１−イソブチルシクロヘキサ−１−エン及び水を蒸留しつつ（沸点６０℃）、１−イソブチルシクロヘキサノールの第２留分（４９２ｇ、３．１５モル）を反応フラスコ内に滴加した。添加が終了した時点で、濃い反応混合物をパラフィン油（１００ｍＬ）及び追加のリン酸（５０ｇ）で希釈し、更に加熱した（１７０〜４０ｈＰａ（１７０〜４０ｍｂａｒ）の真空）。留出物をデカントし、かつ水相をペンタン（１００ｍＬ）にて抽出した。合一させた有機相を乾燥させ（ＭｇＳＯ４）、かつ溶媒を蒸発させて、１−イソブチルシクロヘキサ−１−エン（４４８ｇ、７８％）を得た。
【００６８】
ｃ）（Ｅ）−１−（２−イソブチルシクロヘキサ−２−エニル）ブタ−２−エン−１オン
−７０℃にて、クロトン酸クロリド（３５０ｍＬ、９０％、３．２４モル、１．０当量）によりジクロロメタン（２．５Ｌ）中の四塩化スズの溶液（５３３ｍＬ、４．５４モル、１．４当量）を処理した。得られた溶液を３０分間攪拌し、ジクロロメタン（４００ｍＬ）中の１−イソブチルシクロヘキサ−１−エン溶液（４４８ｇ、３．２４モル）にて１．５時間以内に処理した。得られた混合物を１時間−７０℃にて攪拌し、氷／Ｈ２Ｏ中に注ぎ込んだ。有機相は、まず濃ＮａＯＨで洗浄し、次にＨ２Ｏで洗浄し、乾燥させ（ＭｇＳＯ４）、溶媒を蒸発させた。粗生成物（５９２ｇ）を短経路ビグリュー（Vigreux）蒸留（０．１５ｈＰａ（０．１５ｍｂａｒ）、浴温度：１６０℃）して、留分（４９５ｇ、沸点範囲：９０〜１３０℃）を得、それを短経路ビグリュー（Vigreux）カラム（０．１１ｈＰａ（０．１１ｍｂａｒ）、浴温度：１６０℃）を再び使用して再蒸留し、（Ｅ）−１−（２−イソブチルシクロヘキサ−２−エニル）ブタ−２−エン−１オン（２０２ｇ、３０％）を得た。沸点：１２０℃（０．１１ｈＰａ（０．１１ｍｂａｒ））。
【００６９】
実施例２：（Ｅ）−１−（２−イソブチルシクロヘキサ−１−エニル）ブタ−２−エン−１−オン／（Ｅ）−１−（２−イソブチルシクロヘキサ−２−エニル）ブタ−２−エン−１−オン（６０：４０）
ｐ−トルエンスルホン酸一水和物（３．７ｇ、１９．５モル）にて、トルエン（３ｌ）中の（Ｅ）−１−（２−イソブチルシクロヘキサ−２−エニル）ブタ−２−エン−１オン（２０２ｇ、０．９７９モル）溶液を処理し、１８時間還流させ、水中に注いだ。有機相を乾燥させ（ＭｇＳＯ４）、濃縮した。粗生成物（１８１ｇ、（Ｅ）−１−（２−イソブチルシクロヘキサ−１−エニル）ブタ−２−エン−１−オン／（Ｅ）−１−（２−イソブチルシクロヘキサ−２−エニル）ブタ−２−エン−１−オン）の６８：３２混合物）を短経路ビグリュー（Vigreux）蒸留（０．１１ｈＰａ（０．１１ｍｂａｒ）、浴温度：１４０〜１６０℃）して、ブテノン（１８１ｇ、９０％、沸点範囲９０〜１１０℃）の混合物を得、スルザー・カラムを使用してそれを再蒸留し（０．０８ｈＰａ（０．０８ｍｂａｒ）、浴温度：１５０℃）、（Ｅ）−１−（２−イソブチルシクロヘキサ−１−エニル）ブタ−２−エン−１−オン／（Ｅ）−１−（２−イソブチルシクロヘキサ−２−エニル）ブタ−２−エン−１−オンの６０：４０混合物（１４５．６ｇ、７２％）を得た。
【００７０】
実施例３：（Ｅ）−１−（２−イソブチルシクロヘキサ−１−エニル）ブタ−２−エン−１−オン／（Ｅ）−１−（２−イソブチルシクロヘキサ−２−エニル）ブタ−２−エン−１−オン（９１：９）
ｐ−トルエンスルホン酸一水和物（７０ｍｇ、０．３７ミリモル）にて、トルエン（２８ｍｌ）中の（Ｅ）−１−（２−イソブチルシクロヘキサ−２−エニル）ブタ−２−エン−１オン（２．７ｇ、１３．１ミリモル）溶液を処理し、１８時間還流させ、水中に注いだ。ジエチルエーテルにて水相を３回抽出し、重炭酸ナトリウムの飽和水溶液で合一させた有機相を洗浄し、乾燥させ（ＭｇＳＯ４）、濃縮した。粗生成物（３．２ｇ、（Ｅ）−１−（２−イソブチルシクロヘキサ−１−エニル）ブタ−２−エン−１−オン（Ｂ）／（Ｅ）−１−（２−イソブチルシクロヘキサ−２−エニル）ブタ−２−エン−１オン（Ａ）の６４：３６混合物）のＦＣ（４００ｇＳｉＯ２、ヘキサン／ジエチルエーテル９０：０．５）によって、第１留分（０．３１ｇ、１１％、１０：９０Ｂ／Ａ）、第２留分（０．５２ｇ、１９％、７１：２９Ｂ／Ａ）、及び第３留分（０．３９ｇ、１４％、９１：９Ｂ／Ａ）を得た。
【００７１】
実施例４：（４’Ｚ）−２，２−ジメチル−５−（２’−メチルオクタ−４’−エニル）−２，５−ジヒドロフラン
窒素雰囲気下にて、乾燥ＴＨＦ２５０ｍＬ中カリウムｔ−ブトキシド４６．３ｇ（４１３ミリモル）溶液を−１５℃〜−１０℃にて、乾燥ＴＨＦ５００ｍＬ中のブチルトリフェニルホスホニウムブロミドの攪拌混合物１５０ｇ（３７６ミリモル）へ添加した。添加完了後、−１０℃で３０分間撹拌を続けた後、乾燥ＴＨＦ２５０ｍＬ中３−メチル−５−オキソペンチルアセテート６５．３ｇ（４１３ミリモル）を３０分以内で滴下して添加した。更に、１５分間−１０℃にて撹拌を続けてから冷却浴を取り除き、反応混合物を室温まで温めた。室温で３時間撹拌後、反応混合物を１Ｌの水中へと注ぎ、有機層を分離し、水層を各回１Ｌエーテルにて２回抽出した。合一させた有機層を混合し、水及びブラインで洗浄し、硫酸ナトリウムで乾燥し、減圧下で濃縮した。粗製材料（１９１ｇ）をフラッシュクロマトグラフィー（シリカゲル１００ｋｇ、ペンタン／エーテル、１９：１、Ｒｆ＝０．４０）によって精製し、（５Ｚ）−３−メチルノネ−５−エニルアセテート５７．９ｇ（７８％）を無色液体として得た。
【００７２】
次工程にて、この（５Ｚ）−３−メチルノネ−５−エニルアセテート５５．０ｇ（２７８ミリモル）をエタノールと水の１：１混合物６００ｍＬ中に溶解させた。激しく撹拌しながら、水酸化ナトリウム５５．５ｇ（１．３９モル）を添加し、その後反応混合物を３時間加熱還流させた。反応混合物を室温まで冷却後、エタノールをロータリーエバポレーターで減圧下にて除去し、得られた残留物を水３００ｍＬにて希釈した。粗生成物を２回、各回エーテル５００ｍＬにて抽出し、合一させた有機抽出物を２回、ブライン３００ｍＬにて洗浄した。硫酸ナトリウムによる乾燥及び減圧下での溶媒除去後、得られた残留物（５１．２ｇ）をフラッシュクロマトグラフィー（シリカゲル１．００ｋｇ、ペンタン／エーテル、９：１、Ｒｆ＝０．１１）によって精製し、（５Ｚ）−３−メチルノネ−５−エン−１−オール３９．９ｇ（９２％）を無色の液体として得た。
【００７３】
激しく攪拌している乾燥テトラヒドロフラン１５ｍＬ中の削り屑状マグネシウム２．３２ｇ（９５．６ミリモル）懸濁液へ、乾燥テトラヒドロフラン４０ｍＬ中の臭化エチル１０．４ｇ（９５．６ミリモル）溶液を３０分かけて滴加し、ヒートガンで時々加熱することによって反応を開始させた。反応混合物を９０分間還流下にて撹拌した後、室温まで冷却させ、撹拌しながら乾燥テトラヒドロフラン４０ｍＬ中の２−メチルブタ−３−イン−２−オール３．５４ｇ（４２．２ミリモル）溶液を滴加した。次に、反応混合物を再度３時間還流させ、加熱浴を取り除き、撹拌しながら乾燥テトラヒドロフラン４０ｍＬ中の（５Ｚ）−３−メチルノナ−５−エン−１−オール６．５０ｇ（４２．２ミリモル）溶液を、室温にて３０分かけて添加した。撹拌しながら反応混合物を一晩還流させ、室温まで冷却させ、ＮＨ４Ｃｌ飽和水溶液１００ｍＬを注ぐことによってクエンチした。有機層を分離し、各回５００ｍＬのエーテルにて３回水性層を抽出した。合一させた有機抽出物を硫酸ナトリウムで乾燥させ、乾燥するまでロータリーエバポレーターにて濃縮した。得られた残留物（１０．８ｇ）をフラッシュクロマトグラフィー（シリカゲル２００ｇ、ペンタン／エーテル、１：１、Ｒｆ＝０．２２）によって精製し、（９Ｚ）−２，７−ジメチルトリデセ−９−エン−３−イン−２，５−ジオール７．７６ｇ（７７％）を無色の油として得た。
【００７４】
室温にて、硫酸バリウム上１０％パラジウム５２０ｍｇ（０．４８８ミリモル）及びキノリン１９０ｍｇ（１．４７ミリモル）をエタノール１７０ｍＬ中のこの（９Ｚ）−２，７−ジメチルトリデセ−９−エン−３−イン−２，５−ジオール７．７０ｇ（３２．３ミリモル）攪拌溶液に添加した。フラスコを排気し、窒素で３回フラッシュし、３回排気し、水素でフラッシュした。次に、得られた反応混合物を水素雰囲気下、周囲気圧及び周囲温度で１．５時間撹拌してから、排気しかつ窒素で換気した。反応フラスコを空気に対して開放し、セライトのパッド上で吸引することで触媒を濾し取った。ロータリーエバポレーターにて減圧下で溶媒を除去後、得られた粗生成物（８．０７ｇ）をフラッシュクロマトグラフィー（シリカゲル１００ｇ、ペンタン／エーテル、１：１、Ｒｆ＝０．２８）によって精製し、（３Ｚ，９Ｚ）−２，７−ジメチルトリデカ−３，９−ジエン−２，５−ジオール４．２８ｇ（５５％）を無色の油として得た。
【００７５】
クーゲルロール蒸留装置内にて、（３Ｚ，９Ｚ）−２，７−ジメチルトリデカ−３，９−ジエン−２，５−ジオール４．２０ｇ（１７．５ミリモル）及びＫＨＳＯ４  ３００ｍｇ（２．２１ミリモル）を１２０ｈＰａ（１２０ｍｂａｒ）にて、蒸発反応生成物を−７８℃のバルブ内にトラップしながら１５０℃まで加熱した。冷却トラップ内に物質がそれ以上凝縮しなくなるまで、温度を１８０℃まで徐々に上昇させた。得られた留出物（２．２７ｇ）をフラッシュクロマトグラフィー（シリカゲル２００ｇ、ペンタン／エーテル、９９：１、ペンタン／エーテル、１９：１についてＲｆ＝０．６６）によって精製し、表題化合物２．１４ｇ（５５％）を得た。クーゲルロール蒸留により更に精製し、７０〜８０℃、０．０５ｈＰａ（０．０５ｍｂａｒ）にて、（４’Ｚ）−２，２−ジメチル−５−（２’−メチルオクタ−４’−エニル）−２，５−ジヒドロフラン１．１４ｇ（２９％）を無色液体のジアステレオマー混合物として得た。
【００７６】
実施例５：（２Ｅ）−１−（ｒｅｌ−（１Ｒ，２Ｓ，６Ｓ）−６−エチル−２−メチルシクロヘキサ−３−エニル）ブタ−２−エン−１−オン
Ａ）−１５℃にて、ジクロロメタン（６８０ｍＬ）中のＢＦ３・ＯＥｔ２溶液（５４ｇ、０．３８モル）を３−ヘキセン−２−オン（２２０．１ｇ、純度８９％、２モル）によって１０分以内で処理した。次に、１，３−ペンタジエン（４９０ｇ、７．２モル、０℃にて予冷したもの）を添加し、得られた溶液を３０分間０℃にて撹拌し、次に１時間２０℃にて撹拌してから、０℃にて冷却し、Ｋ２ＣＯ３  ２０％水溶液（２５０ｍＬ）にて処理した。得られた混合物を４０分間攪拌し、濃縮した（４３℃、３００ｈＰａ（３００ｍｂａｒ）まで）。水相をヘキサン（５００ｍＬ）にて洗浄し、合一させた有機相をＫ２ＣＯ３  ２０％水溶液（１００ｍＬ）にて３回、飽和ＮａＣｌ水溶液にて洗浄し、乾燥させ（ＭｇＳＯ４）、かつ濃縮した。粗生成物（４００ｇ）をスルザー蒸留（０．４〜０．１ｈＰａ（０．４〜０．１ｍｂａｒ））して、１−（ｒｅｌ−（１Ｒ，２Ｓ，６Ｓ）−６−エチル−２−メチルシクロヘキサ−３−エニル）エタン−１−オン（３２６ｇ、９８％収率）を得た。
【００７７】
Ｂ）−７８℃にて、テトラヒドロフラン（２３ｍＬ）中のジイソプロピルアミン（６．６ｇ、３４ミリモル）の溶液を、ｎ−ブチルリチウム（２１ｍＬ、ヘキサン中１．６Ｍ、３４ミリモル）で処理した。得られた溶液を０℃まで温め、−７８℃まで冷却し、かつ１−（ｒｅｌ−（１Ｒ，２Ｓ，６Ｓ）−６−エチル−２−メチルシクロヘキサ−３−エニル）エタン−１−オン（４．５ｇ、２７ミリモル）のテトラヒドロフラン（２３ｍＬ）溶液で処理した。得られた溶液を２０分間−２０℃にて攪拌し、−７８℃まで冷却し、かつアセトアルデヒド（１．８ｇ、４１ミリモル）のテトラヒドロフラン（２３ｍＬ）溶液にて処理した。１時間撹拌した後、１Ｎ  ＨＣｌ水溶液（５０ｍＬ）を添加し、反応混合物を２０℃まで温めた。水相をジエチルエーテルで抽出し、合一させた有機相を乾燥させ（ＭｇＳＯ４）、かつ濃縮した。残留物（４．９ｇ）のトルエン（４．９ｍＬ）溶液をパラ−トルエンスルホン酸一水和物（２０ｍｇ）で処理し、一晩還流させた。反応混合物を冷却し、ＮａＨＣＯ３飽和水溶液で処理し、及び水相をジエチルエーテルで抽出した。合一させた有機相を乾燥し（ＭｇＳＯ４）、濃縮した。粗生成物のＦＣ（ＳｉＯ２  ５５０ｇ、ヘキサン／ジエチルエーテル  ９：１）から、（２Ｅ）−１−（ｒｅｌ−（１Ｒ，２Ｓ，６Ｓ）−６−エチル−２−メチルシクロヘキサ−３−エニル）ブタ−２−エン−１−オン（２．９ｇ、５６％）を得た。
【００７８】
実施例６  予め形成されたアミン反応生成物
以下の成分を秤量し、ガラスバイアル瓶に加えた：
香料材料の５０％
ＢＡＳＦからのルパソール（Lupasol）ＷＦ（ＣＡＳ番号０９００２−９８−６）の５０％を、６０℃の温水浴中に使用前に１時間載置した。ウルトラ・ツゥラックス（Ultra-Turrax）Ｔ２５ベーシック装置（ＩＫＡより）を使用して、２種類の成分の混合を５分間行った。混合が完了したら、サンプルを６０℃の温水浴中に±１２時間載置した。均質な粘稠材料が得られる。
【００７９】
上記で記載されるのと同様の方法で、構成成分間において異なる比率を使用することが可能である：
【表２】
2010528161.tif 000009
【００８０】
実施例７
香料及びアミンを含有する生成物処方の非限定例を次表に要約する。
【表３】
2010528161.tif 000010
ａＮ，Ｎ−ジ（タローオイルオキシエチル）−Ｎ，Ｎ−ジメチルアンモニウムクロライド。
bメチル−ビス（タローアミドエチル）−２−ヒドロキシエチルアンモニウムメチルサルフェート。
ｃ脂肪酸とメチルジエタノールアミンとのモル比１．５：１での反応生成物を、塩化メチルで四級化し、得られるＮ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル比混合物。
ｄナショナル・スターチ（National Starch）から商標名カトー（CATO）（登録商標）で入手可能なカチオン性高アミローストウモロコシデンプン。
ｅ実施例１〜５にて提供される芳香剤分子の好適な組み合わせ。
ｆ米国特許第５，５７４，１７９号、第１５欄、１〜５行目の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇワッカー（Wacker）からのＳＥ３９
ｈジエチレントリアミン５酢酸。
ｉローム・アンド・ハース社（Rohm and Haas Co.）から入手可能なカトン（KATHON）（登録商標）ＣＧ。「ＰＰＭ」は、「百万分の一」。
ｊグルタルアルデヒド
ｋＤＣ２３１０の商標名でダウ・コーニング社（Dow Corning Corp.）から入手可能なシリコーン消泡剤。
ｌローム・アンド・ハース社（Rohm and Haas Co.）からアキュラン（Aculan）４４の商標名にて入手可能な、疎水的に改質されたエトキシル化ウレタン。
＊本明細書に開示されているようなアミン部分を含む１種以上の材料。
+残部
【００８１】
実施例８  乾燥洗濯処方
【表４】
2010528161.tif 000011
＊本明細書に開示されているようなアミン部分を含む１種以上の材料。
【００８２】
実施例９  液体洗濯処方（ＨＤＬｓ）
【表５】
2010528161.tif 000012
＊本明細書に開示されているようなアミン部分を含む１種以上の材料。
【００８３】
本明細書に開示される寸法及び値は、列挙された正確な数値に厳密に限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【００８４】
「発明を実施するための形態」で引用した全ての文献は、関連部分において本明細書に参照により組み込まれるが、いずれの文献の引用も、それが本発明に対する先行技術であることを容認するものと解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００８５】
以上、本発明の特定の実施形態を図示、説明したが、本発明の趣旨及び範囲から逸脱することなく他の様々な変更及び改変を行うことが可能である点は当業者には自明であろう。したがって、本発明の範囲内にあるそのような全ての変更及び修正を、添付の特許請求の範囲で扱うものとする。
【国際調査報告】
2010528161.tif 000013
2010528161.tif 000014
2010528161.tif 000015
2010528161.tif 000016